(57)【要約】  【課題】２枚のシャッタ羽根の構成を工夫することによって、開閉作動の各終了時において、ストッパに当接するときの衝撃を緩和し、バウンドを好適に抑制できるようにした小型化，低コスト化に適するカメラ用シャッタ装置を提供すること。  【解決手段】駆動ピン５ｃによって、同時に相反する方向へ回転させられる２枚のシャッタ羽根３，４は、基端部３ａ，４ａと先端部３ｂ，４ｂとの間に、張出部３ｃ，４ｃと遮光部３ｄ，４ｄとを有していて、基端部３ａ，４ａで、羽根軸１ｃ，１ｄに回転可能に取り付けられている。そして、２枚のシャッタ羽根３，４は、基端部３ａ，４ａ同士の重なり関係と張出部３ｃ，４ｃ同士の重なり関係とが逆になっており、先端部３ｂ，４ｂ同士と遮光部３ｄ，４ｄ同士の重なり関係が張出部３ｃ，４ｃ同士の重なり関係と同じになっている。【選択図】  図１
2008096769.tif 000002
【特許請求の範囲】
【請求項１】
撮影光路用の開口部を有している地板と、基端部に長孔を有していて該基端部の一部で前記地板に対して回転可能に取り付けられており先端部側には前記開口部を開閉するための遮光部を有している第１シャッタ羽根と、前記第１シャッタ羽根の前記基端部に重ね合わせている基端部に長孔を有していて該基端部の一部で前記地板に対して回転可能に取り付けられており前記開口部を開閉するために先端部側に設けられた遮光部が前記基端部同士の重なりとは逆になるようにして前記第１シャッタ羽根の前記遮光部に重なるように組み付けられている第２シャッタ羽根と、前記２枚のシャッタ羽根の前記長孔の両方に嵌合させた駆動ピンを有しており該駆動ピンを往復作動させることによって前記２枚のシャッタ羽根を同時に相反する方向へ回転させ前記開口部の開閉作動を行わせる駆動手段と、を備えていることを特徴とするカメラ用シャッタ装置。
【請求項２】
前記２枚のシャッタ羽根は、前記基端部と前記遮光部との間に、前記基端部同士とは逆に重なり合っていて開閉作動中に摺接し合う張出部を有していることを特徴とする請求項１に記載のカメラ用シャッタ装置。
【請求項３】
前記２枚のシャッタ羽根は、前記先端部同士が、前記基端部同士とは逆に重なり合っていて開閉作動中に摺接し合うことを特徴とする請求項１に記載のカメラ用シャッタ装置。
【発明の詳細な説明】
【技術分野】
【０００１】
本発明は、同時に相反する方向へ回転することによって開閉作動を行う２枚のシャッタ羽根を備えたカメラ用シャッタ装置に関する。
【背景技術】
【０００２】
下記の特許文献１には、２枚のシャッタ羽根が、駆動手段の駆動ピンによって、同時に相反する方向へ回転させられ、撮影光路用の開口部を開閉するようにしたカメラ用シャッタ装置が記載されている。そして、この種のシャッタ装置は、２枚のシャッタ羽根が、それらの基端部で地板に対して個々に回転可能に取り付けられており、それらの基端部に形成された両者の長孔に上記の駆動ピンを嵌合させるように構成されているため、両者の基端部は、常に重なり合っており、開閉作動中には摺接し合うようになっている。また、この種のシャッタ装置の場合には、２枚のシャッタ羽根の開き作動と閉じ作動は、それらの終了時において、少なくとも一方のシャッタ羽根がストッパに当接することによって停止させられるようになっている。
【０００３】
【特許文献１】特開２００３−１７７４４７号公報
【発明の開示】
【発明が解決しようとする課題】
【０００４】
ところで、シャッタ羽根は、開き作動や閉じ作動の終了時においてストッパに当接すると、大きくバウンドすることが知られている。そして、開き作動の終了時にバウンドすると、撮影光路用の開口部の一部を一時的に閉じてしまうことがあるし、閉じ作動の終了時にバウンドすると、撮影光路用の開口部の一部を一時的に開いてしまうことがある。そこで、そのような事態が生じないようにするためには、シャッタ羽根が、そのバウンド量を見込んだ位置まで作動してからストッパに当接するように構成すればよいことになるが、そのようにすると、地板を大きくしたり、シャッタ羽根を大きくしたりしなければならなくなる。そこで、従来から、そのように構成せず、バウンド量自体を小さくする方法が種々提案され、実施されている。そして、上記の特許文献１に記載されているシャッタ装置の場合には、２枚のシャッタ羽根のうち、一方だけをストッパに当接させ、駆動ピントの連結構成を利用してバウンド量を小さく抑制できるようにしている。
【０００５】
しかしながら、最近ではカメラの小型化が進んできて、シャッタ装置の小型化に対する要求も一段と厳しくなっている。そのため、そのような要求に応えるためには、シャッタ羽根を出来るだけ小さくすることによって地板の平面形状を小さくする必要があるが、そのようにしようとすればするほど、バウンドの抑制対策が重要になり、もはや、特許文献１に記載の構成だけでは済まなくなってきている。また、他方では、シャッタ装置の低コスト化についての要求も厳しくなってきている。そのため、そのようなバウンドの抑制対策も、コストアップにつながるものであってはならない。従って、部品点数を増やしたり、構成部材の形状を複雑にしたり、加工工数を増やしたりすることなく、バウンドを好適に抑制できるようにした小型化に適するシャッタ装置の出現が望まれている。
【０００６】
本発明は、このような問題点を解決するためになされたものであり、その目的とするところは、部品点数を増やしたり、構成部材の形状を複雑にしたりすることなく、２枚のシャッタ羽根の構成だけにより、開閉作動の各終了時において、ストッパに当接するときの衝撃を緩和し、バウンドを好適に抑制できるようにした小型化に適するカメラ用シャッタ装置を提供することである。
【課題を解決するための手段】
【０００７】
上記の目的を達成するために、本発明のカメラ用シャッタ装置は、撮影光路用の開口部を有している地板と、基端部に長孔を有していて該基端部の一部で前記地板に対して回転可能に取り付けられており先端部側には前記開口部を開閉するための遮光部を有している第１シャッタ羽根と、前記第１シャッタ羽根の前記基端部に重ね合わせている基端部に長孔を有していて該基端部の一部で前記地板に対して回転可能に取り付けられており前記開口部を開閉するために先端部側に設けられた遮光部が前記基端部同士の重なりとは逆になるようにして前記第１シャッタ羽根の前記遮光部に重なるように組み付けられている第２シャッタ羽根と、前記２枚のシャッタ羽根の前記長孔の両方に嵌合させた駆動ピンを有しており該駆動ピンを往復作動させることによって前記２枚のシャッタ羽根を同時に相反する方向へ回転させ前記開口部の開閉作動を行わせる駆動手段と、を備えているようにする。
【０００８】
その場合、前記２枚のシャッタ羽根は、前記基端部と前記遮光部との間に、前記基端部同士とは逆に重なり合っていて開閉作動中に摺接し合う張出部を有しているようにしてもよいし、前記先端部同士が、前記基端部同士とは逆に重なり合っていて開閉作動中に摺接し合うようにしてもよい。
【発明の効果】
【０００９】
本発明のカメラ用シャッタ装置は、同時に相反する方向へ回転することによって撮影光路用の開口部を開閉するようにした２枚のシャッタ羽根を、従来のように単純に重ねるのではなく、両者の基端部同士の重なりと遮光部同士の重なりとが逆になるように組み付けるだけで、ストッパに当接したときの衝撃を緩和し、バウンドを抑制できるようにしたものであるため、低コストで、装置の小型化が可能になる。
【発明を実施するための最良の形態】
【００１０】
本発明の実施の形態を、図示した二つの実施例によって説明する。本発明のカメラ用シャッタ装置は、単体のデジタルカメラにも、各種情報端末機器に内蔵するデジタルカメラにも採用することが可能であるし、銀塩フィルムを使用するカメラにも採用することが可能である。しかしながら、各実施例の作動説明は、デジタルカメラに採用した場合で説明することにする。
【実施例１】
【００１１】
本実施例を、図１〜図３を用いて説明するが、図１は、シャッタの全開状態（撮影待機状態）における羽根室内を示した平面図であり、図２は、装置全体構成を分かり易く示した断面図であり、図３は、シャッタの閉鎖状態における羽根室内を示した平面図である。そこで先ず、本実施例の構成を説明する。本実施例の地板１は、合成樹脂製であって、図２から分かるように比較的厚い部材である。また、平面形状は図１に示されているように変則的な六角形をしていて、その略中央部に円形をした撮影光路用の開口部１ａを形成しており、その左下方位置には円弧状をした長孔１ｂを形成している。そして、この地板１は、カバー板２との間に構成している羽根室側の面に、羽根軸１ｃ，１ｄと、ストッパ軸１ｅ，１ｆ，１ｇ，１ｈと、取付軸１ｉ，１ｊとを立設し、反対側の羽根室外の面には、図２に示されているように、回転子軸１ｋと、取付軸１ｍ，１ｎとを立設している。
【００１２】
カバー板２は、図２から分かるように、薄い合成樹脂製であって、図１においては、地板１への取付部だけが示されている。そして、その取り付け方は、いわゆる熱カシメといわれているものであって、円柱形をしている取付軸１ｉ，１ｊをカバー板２に形成された孔に挿入し、羽根室外へ突き出た先端部を熱溶解させ、フランジ状に変形させることによって取り付けている。このカバー板２は、地板１と略同じ平面形状をしており、図２に示されているように、上記の開口部１ａと対向する位置に、直径の若干大きな撮影光路用の開口部２ａを形成し、上記の長孔１ｂと対向する位置には、同じ形状をした長孔２ｂを形成している。また、図２に示されているように、このカバー板２には、上記の羽根軸１ｃ，１ｄの先端を挿入する孔２ｃ，２ｄが形成されているほか、上記のストッパ軸１ｅ，１ｆ，１ｇ，１ｈの先端を挿入するための図示していない孔も形成されている。
【００１３】
羽根室内に配置されている２枚のシャッタ羽根３，４は、各々、基端部３ａ，４ａと先端部３ｂ，４ｂとの間に、張出部３ｃ，４ｃと遮光部３ｄ，４ｄとを有していて、それらの基端部３ａ，４ａには、長孔３ｅ，４ｅと孔３ｆ，４ｆが形成されている。そして、地板１に対する取り付け方は、先ず、シャッタ羽根３の基端部３ａに形成されている孔３ｆを、上記の羽根軸１ｃに対して回転可能に嵌合させておく。次に、両方のシャッタ羽根３，４を若干撓ませて、シャッタ羽根４の先端部４ｂと張出部４ｃとを、シャッタ羽根３の先端部３ｂと張出部３ｃよりも地板１側へ滑り込ませておいてから、シャッタ羽根４の基端部４ａをシャッタ羽根３の基部３ａの上へ重ね、そこに形成されている孔４ｆを上記の羽根軸１ｄに対して回転可能に嵌合させる。その結果、基端部３ａと基端部４ａとは、基端部３ａの方を地板１側にして重ねられているが、先端部３ｂ，張出部３ｃ，遮光部３ｄと、先端部４ｂ，張出部４ｃ，遮光部４ｄとは、逆に、先端部４ｂ，張出部４ｃ，遮光部４ｄの方を地板１側にして重ねられているようになっている。
【００１４】
地板１の羽根室外の面には、例えば、特開２００５−２８７１５９号公報などに記載されている周知の電磁アクチュエータと同じタイプの電磁アクチュエータが取り付けられている。先ず、回転子５は、永久磁石製であって、上記の回転子軸１ｋに回転可能に取り付けられており、固定子枠６によって抜け止めされている。この回転子５は、円筒形をした本体部５ａと、その径方向へ張り出した腕部５ｂと、その先端に設けられた駆動ピン５ｃからなっていて、本体部５ａの径方向に２極に着磁されている。そして、駆動ピン５ｃは、地板１の長孔１ｂから挿入され、羽根室内でシャッタ羽根３，４の長孔３ｅ，４ｅに嵌合し、先端をカバー板２の長孔２ｂに挿入している。尚、この種の電磁アクチュエータにおいては、上記の腕部５ｂと駆動ピン５ｃとを合成樹脂製としたものも知られている。
【００１５】
次に、固定子は、上記の固定子枠６と、コイル７と、ヨーク８とで構成されている。先ず、固定子枠６は、コイル７を巻回した中空のボビン部６ａを有していて、上記した熱カシメによって、地板１の取付軸１ｍ，１ｎに取り付けられている。また、ヨーク８は、その形状が明示されていないが、上記の特開２００５−２８７１５９号公報に記載されているヨークと同様に、基部と二つの脚部とで略Ｕ字形をしていて、一方の脚部をボビン部６ａの中空部に貫通させ、両方の脚部の先端を磁極部として、回転子５の本体部５ａの周面に対向させている。
【００１６】
このような構成の電磁アクチュエータは、周知のように、コイル７に対する通電方向に対応した方向へ、回転子５が、所定の角度範囲内でだけ回転するようになっている。また、コイル７に対する非通電時においては、回転子５は、本体部５ａの周面の磁極と、ヨーク８の磁極部との間に作用する磁気吸引力によって、いずれか一方へ回転力が与えられるようになっている。尚、本実施例の電磁アクチュエータは、このような構成をしているが、本発明の駆動手段は、このような構成をした電磁アクチュエータに限定されず、ステップモータを含む種々の構成をした電磁アクチュエータであっても構わないし、ばね力を利用した機械的なアクチュエータであっても構わない。
【００１７】
次に、本実施例の作動を説明する。先ず、図１は、カメラの電源スイッチをオンにしているが、電磁アクチュエータのコイル７には通電されていない状態を示したものである。しかしながら、このときには、周知のように、ヨーク８の二つの磁極部と回転子５の二つの磁極との対向位置関係によって、回転子５に対して時計方向へ回転する力が与えられている。そのため、駆動ピン５ｃによって、シャッタ羽根３には時計方向へ回転する力が、シャッタ羽根４には反時計方向へ回転する力が与えられているが、その回転をストッパ軸１ｅ，１ｆに阻止されていることによって、このような開口部１ａの全開状態が維持されている。従って、このときには、固体撮像素子に被写体光が当たっているので、撮影者は、液晶等の表示装置によって被写体像を観察することが可能になっている。
【００１８】
撮影に際して、カメラのレリーズボタンが押されると、直ちに、図示していない固体撮像素子に蓄積されていた電荷を放出させて撮影が開始され、新たな電荷が固体撮像素子に蓄積されていく。そして、所定の時間が経過すると、露光時間制御回路からの信号によって、コイル７に順方向の電流が供給され、回転子５は、図１において反時計方向へ回転させられる。そのため、駆動ピン５ｃによって、シャッタ羽根３は反時計方向へ回転させられ、シャッタ羽根４は時計方向へ回転させられて、開口部１ａの閉じ作動を行う。このとき、本実施例の場合には、２枚のシャッタ羽根３，４が、それらの基端部３ａ，４ａと、その他の部位３ｂ〜３ｄ，４ｂ〜４ｄとでは、重なり方が逆であるため、従来のように同じ重なり方をしている場合に比較して、両者間の摺接時に作用する摩擦抵抗力が大きく働くことになる。
【００１９】
その後、シャッタ羽根３，４が、開口部１ａを閉鎖すると、その直後に、シャッタ羽根４の先端部４ｂがストッパ軸１ｈに当接し、その衝撃でバウンドする。しかしながら、本実施例の場合には、シャッタ羽根３，４の間に生じる上記の摩擦抵抗力が制動力として作用しているため、従来の重なり方をしている場合に比較して、その衝撃力は小さくて、バウンドする力も弱く、シャッタ羽根４が破壊されるようなこともないようになっている。しかも、そのようにして、シャッタ羽根４がバウンドし、反時計方向へ回転するときには、シャッタ羽根３の先端部３ｂは未だストッパ軸１ｇに当接していない。
【００２０】
そのため、バウンド時におけるシャッタ羽根４の反時計方向の回転は、未だ運動中である回転子５とシャッタ羽根３の回転力に逆らって行うことになるので、その回転量（バウンド量）は極端に抑制されることになる。図３は、そのようにして、バウンドによって開口部１ａの一部を一時的に開くことなく、シャッタ羽根３，４が静止した状態を示したものである。尚、ストッパ軸１ｇは、周知のように、主にシャッタ羽根３の大きな動きを制限し、早期に静止状態が得られるようにするためのものであり、仕様によっては必ずしも必要としないものである。
【００２１】
このようにして、図３に示された状態になると、固体撮像素子に蓄積された電荷が、撮像情報として記憶装置に転送されるが、本実施例の場合には、バウンドによって固体撮像素子を一時的に再露光することなく、しかも直ちにシャッタ羽根３，４の静止状態が得られるので、有害なスミア現象を生じさせずに撮像情報を記憶装置へ転送した後、早期に撮影待機状態への復帰作動を開始させる。そして、その場合には、コイル７に対して逆方向の電流を供給すると、回転子５は、図３において、時計方向へ回転させられる。そのため、駆動ピン５ｃによって、シャッタ羽根３は時計方向へ回転させられ、シャッタ羽根４は反時計方向へ回転させられて、開口部１ａの開き作動を行う。
【００２２】
その後、シャッタ羽根３，４は、開口部１ａを全開にした直後に、ストッパ軸１ｅ，１ｆに当接してバウンドする。しかしながら、本実施例の場合は、シャッタ羽根３，４の開き作動に、両者の間に生じる上記の摩擦抵抗力が、制動力として作用していたため、従来の構成よりも、当接時の衝撃力は小さく、バウンドする力も弱くなっている。そのため、シャッタ羽根３，４は、ストッパ軸１ｅ，１ｆに当接しても、破壊されたり、バウンドして開口部１ａの一部を一時的に閉じてしまうことなく停止する。そして、その後、コイル７に対する通電を断つと、図１に示した撮影待機状態に復帰したことになる。
【００２３】
尚、本実施例の場合には、撮影待機状態に復帰した後、連続して次の撮影が行われること（連写）を想定していないし、デジタルカメラの場合は、撮影待機状態に復帰したとき、バウンドにより、開口部１ａの一部が一時的に閉じてしまうことについて余り厳しくないため、上記のように構成しているが、図１の状態において、ストッパ軸１ｅがシャッタ羽根３から若干離れているようにしてもよいし、ストッパ軸１ｆがシャッタ羽根４から若干離れているようにしても差し支えない。また、本実施例の作動は、いわゆるノーマリーオープンタイプのシャッタ装置として説明したが、カメラに光学ファインダを備えることによって、撮影前には、図３の状態としておき、撮影に際してレリーズボタンが押されると、その初期段階においてシャッタ羽根３，４を図１の状態にさせておいてから撮影を開始させれば、いわゆるノーマリークローズタイプのシャッタ装置になる。そして、シャッタ羽根３，４を同じように作動させることによって、本実施例のシャッタ装置を、銀塩フィルムを使用したカメラにも採用することができることは言うまでもない。
【実施例２】
【００２４】
図４及び図５は、実施例２を示したものである。そして、図４は、上記の図１と同様に、シャッタの全開状態（撮影待機状態）における羽根室内を示した平面図であり、図５は、上記の図３と同様に、シャッタの閉鎖状態における羽根室内を示した平面図である。図４及び図５を上記の図１及び図３と比較してみれば分かるように、本実施例の構成が実施例１の構成と異なるのは、実施例１のシャッタ羽根３，４には、張出部３ｃ，４ｃが設けられていたのに対して、本実施例では、それらの張出部３ｃ，４ｃを設けていないことである。そして、その他の構成は、実施例１の場合と全く同じであるため、図４及び図５においては、図１及び図３で用いた符号をそのまま用いている。そのため、それらについての構成説明には、実施例１の構成説明が、そのまま援用される。また、本実施例の作動は、実施例１の作動に準じて行われるので、重複を避けるために説明を省略する。
【００２５】
ところで、上記の実施例１の構成では、基端部３ａ，４ａ同士の重なり関係と張出部３ｃ，４ｃ同士の重なり関係とが逆になっている。そして、それらの張出部３ｃ，４ｃは、基端部３ａ，４ａと遮光部３ｄ，４ｄとの間に設けられている。つまり、シャッタ羽根３，４は、基端部３ａ，４ａに極めて近いところで、重なり関係を反対にしなければならない。そのため、閉鎖時において、シャッタ羽根３，４の遮光部３ｄ，４ｄ同士が密接しているようにしようとしたり、作動時において、基端部３ａ，４ａ同士、張出部３ｃ，４ｃ同士、遮光部３ｄ，４ｄ同士、先端部３ｂ，４ｂ同士が好適に摺接し、上記のような摩擦抵抗力をより効果的に得ようとしたりすると、シャッタ羽根３，４を従来のように平板状にするのではなく、図２に示されているような独特な反り形状にすることが要求される場合があるが、本実施例の構成であれば、そのようなことをしなくて済む場合が多くなる。
【図面の簡単な説明】
【００２６】
【図１】シャッタの全開状態（撮影待機状態）における羽根室内を示した実施例１の平面図である。
【図２】実施例１の断面図である。
【図３】シャッタの閉鎖状態における羽根室内を示した実施例１の平面図である。
【図４】シャッタの全開状態（撮影待機状態）における羽根室内を示した実施例２の平面図である。
【図５】シャッタの閉鎖状態における羽根室内を示した実施例２の平面図である。
【符号の説明】
【００２７】
１                            地板
１ａ，２ａ                    開口部
１ｂ，２ｂ，３ｅ，４ｅ        長孔
１ｃ，１ｄ                    羽根軸
１ｅ，１ｆ，１ｇ，１ｈ        ストッパ軸
１ｉ，１ｊ，１ｍ，１ｎ        取付軸
１ｋ                          回転子軸
２                            カバー板
２ｃ，２ｄ，３ｆ，４ｆ        孔
３，４                        シャッタ羽根
３ａ，４ａ                    基端部
３ｂ，４ｂ                    先端部
３ｃ，４ｃ                    張出部
３ｄ，４ｄ                    遮光部
５                            回転子
５ａ                          本体部
５ｂ                          腕部
５ｃ                          駆動ピン
６                            固定子枠
６ａ                          ボビン部
７                            コイル
８                            ヨーク
【図１】
2008096769.tif 000003
【図２】
2008096769.tif 000004
【図３】
2008096769.tif 000005
【図４】
2008096769.tif 000006
【図５】
2008096769.tif 000007